(57)【特許請求の範囲】
【請求項１】
室内機にドレンポンプとフロートスイッチを接続する空気調和機において、
ＡＣ電源をオフして、ドレンポンプとフロートスイッチを室内機に接続し、
空気調和機にＡＣ電源を投入し、
マイクロコンピュータが前記ドレンポンプと前記フロートスイッチを認識し、
認識後、リモコン又は応急運転スイッチで運転を空気調和機に指示し、
前記ドレンポンプの動作を確認し、
前記ドレンポンプが正常に動作する場合は、前記ドレンポンプと前記フロートスイッチが正常に取り付けられたことを確認し、
前記ドレンポンプが正常に動作しない場合は、接続が出来ていないと判断することが出来るため、ＡＣ電源オフを行い、前記ドレンポンプと前記フロートスイッチの接続状態をチェックし、再度ＡＣ電源投入を行うことを特徴とする空気調和機。
【請求項２】
室内機にドレンポンプとフロートスイッチを接続する空気調和機において、
リモコン又は応急運転スイッチで運転を停止し、
ドレンポンプとフロートスイッチを、通電されていない回路に前記ドレンポンプを接続し、低電圧の回路に前記フロートスイッチを接続し、
マイクロコンピュータが前記ドレンポンプと前記フロートスイッチを認識し、
認識後、リモコン又は応急運転スイッチで運転を空気調和機に指示し、
前記ドレンポンプの動作を確認し、
前記ドレンポンプが正常に動作する場合は、前記ドレンポンプと前記フロートスイッチが正常に取り付けられたことを確認し、
前記ドレンポンプが正常に動作しない場合は、接続が出来ていないと判断することが出来るため、リモコン又は応急運転スイッチで運転を停止し、前記ドレンポンプと前記フロートスイッチの接続状態をチェックし、再度リモコン又は応急運転スイッチで運転を空気調和機に指示することを特徴とする空気調和機。
【請求項３】
前記フロートスイッチからの検出信号を受信するフロートスイッチ入力回路と、
前記フロートスイッチ入力回路から送信された前記検出信号を認識した場合、マイクロコンピュータに前記検出信号を送信するドレンポンプ出力／フロートスイッチ入力検出切り替え解析手段と、
前記ドレンポンプ出力／フロートスイッチ入力検出切り替え解析手段から前記検出信号が送信されると、前記ドレンポンプと前記フロートスイッチが接続されたことを認識し、前記ドレンポンプと前記フロートスイッチの制御を行うマイクロコンピュータと、
を有する制御基板を備えたことを特徴とする請求項１又は請求項２記載の空気調和機。
【請求項４】
前記マイクロコンピュータがワイヤレスリモコンや応急／試運転スイッチより運転の指示を受けると、前記マイクロコンピュータがドレンポンプ出力手段にドレンポンプ運転オン信号を送信し、前記ドレンポンプ出力手段が前記ドレンポンプ運転オン信号を受信して認識すれば、前記ドレンポンプ出力手段からドレンポンプ出力回路に前記ドレンポンプ運転オン信号を送信して、前記ドレンポンプ出力回路が前記ドレンポンプに動作指示を行うことを特徴とする請求項１又は請求項２記載の空気調和機。
【請求項５】
前記フロートスイッチが異常水位又は接続外れの場合、異常信号が前記フロートスイッチ入力回路に入力され、前記フロートスイッチ入力回路からフロートスイッチ入力解析手段に前記異常信号が送信され、前記フロートスイッチ入力解析手段が前記異常信号を前記マイクロコンピュータに送信すると、前記マイクロコンピュータは空気調和機の運転を停止することを特徴とする請求項１又は請求項２記載の空気調和機。
【請求項６】
前記フロートスイッチが異常水位又は接続外れで、前記マイクロコンピュータが空気調和機の運転を停止中、常に前記ドレンポンプを動作させ、前記室内機の運転モニタに異常表示信号を送信することを特徴とする請求項５に記載の空気調和機。
【請求項７】
前記制御基板にドレンポンプ出力回路／フロートスイッチ入力回路を設け、前記ドレンポンプと前記フロートスイッチの接続コネクタを共通化したことを特徴とする請求項１〜６の何れかに記載の空気調和機。
【発明の詳細な説明】
【０００１】
【発明の属する技術分野】
この発明は、空気調和機に関するもので、詳しくはドレンポンプとフロートスイッチを接続する際に、接続設定ミスを少なくする方法に関するものである。
【０００２】
【従来の技術】
図５は従来の技術を示す図で、空気調和機と別売設定のドレンポンプとフロートスイッチを接続するためのブロック図である。図において、空気調和機の室内機１に別売部品のドレンポンプ９とフロートスイッチ１０を接続する際に、ＡＣ電源をオフしてドレンポンプ出力／フロートスイッチ入力検出切り替えスイッチ８を検出＝０に切り替えて、ドレンポンプ９とフロートスイッチ１０を接続する。
【０００３】
その後、ＡＣ電源をオンするとドレンポンプ出力／フロートスイッチ入力検出切り替えスイッチ８が検出＝０に切り替わっているため、ドレンポンプ出力／フロートスイッチ入力検出切り替え解析手段７が検出＝０を認識する。認識したドレンポンプ出力／フロートスイッチ入力検出切り替え解析手段７がマイクロコンピュータ２に検出＝０を送信し、マイクロコンピュータ２がドレンポンプ９とフロートスイッチ１０が接続されたことを認識する。
【０００４】
続いてマイクロコンピュータ２が別売部品のドレンポンプ９とフロートスイッチ１０が接続された制御を行う。別売部品のドレンポンプ９とフロートスイッチ１０が接続された制御は、以下の通りである。マイクロコンピュータ２がワイヤレスリモコンや応急／試運転スイッチより冷房運転又はドライ運転の指示を受けると、マイクロコンピュータ２がドレンポンプ出力手段３にドレンポンプ運転オン信号を送信する。ドレンポンプ出力手段３がドレンポンプ運転オン信号を受信して認識すれば、ドレンポンプ出力手段３からドレンポンプ出力回路４にドレンポンプ運転オン信号を送信して、ドレンポンプ出力回路４がドレンポンプ９に動作指示を行い、ドレンポンプ９が運転を行う。
【０００５】
また、フロートスイッチ１０が異常水位又は接続外れの場合、異常＝１がフロートスイッチ入力回路６に入力され、フロートスイッチ入力回路６からフロートスイッチ入力解析手段５に異常＝１が送信される。その後、フロートスイッチ入力解析手段５が異常＝１を判断してマイクロコンピュータ２に異常＝１を送信すると、マイクロコンピュータ２が空調運転を停止する。この場合は、常にドレンポンプ９を動作させ、空気調和機の室内機１の運転モニタに異常表示信号を送信する。フロートスイッチ１０が正常水位又は正常接続されると正常運転条件を満たせば、空調運転を開始する。
【０００６】
【発明が解決しようとする課題】
従来の空気調和機と別売設定のドレンポンプとフロートスイッチを接続する方法は、以上の通りであり、空気調和機の室内機１に別売のドレンポンプ９とフロートスイッチ１０を接続する場合、ドレンポンプ９とフロートスイッチ１０を接続して、ドレンポンプ出力／フロートスイッチ入力検出切り替えスイッチ８でドレンポンプ９とフロートスイッチ１０の動作制御を変えなければならない。この際に、ドレンポンプ出力／フロートスイッチ入力検出切り替えスイッチ８で制御を切り替えるのを忘れた場合には、ドレンポンプ９とフロートスイッチ１０が動作しないという問題点があった。
【０００７】
この発明は、上記のような問題点を解決するためになされたもので、ドレンポンプとフロートスイッチを空気調和機に接続してＡＣ電源を投入するだけで、空気調和機のマイクロコンピュータがドレンポンプとフロートスイッチの接続を検出して、ドレンポンプとフロートスイッチを確実に動作させ、設定ミス等を無くし、より確実なドレンポンプとフロートスイッチの接続を行うことを目的とする。
【０００８】
【課題を解決するための手段】
この発明に係る空気調和機は、室内機にドレンポンプとフロートスイッチを接続する空気調和機において、
ＡＣ電源をオフして、ドレンポンプとフロートスイッチを室内機に接続し、
空気調和機にＡＣ電源を投入し、
マイクロコンピュータがドレンポンプとフロートスイッチを認識し、
認識後、リモコン又は応急運転スイッチで運転を空気調和機に指示し、
ドレンポンプの動作を確認し、
ドレンポンプが正常に動作する場合は、ドレンポンプとフロートスイッチが正常に取り付けられたことを確認し、
ドレンポンプが正常に動作しない場合は、接続が出来ていないと判断することが出来るため、ＡＣ電源オフを行い、ドレンポンプとフロートスイッチの接続状態をチェックし、再度ＡＣ電源投入を行うことを特徴とする。
【０００９】
この発明に係る空気調和機は、室内機にドレンポンプとフロートスイッチを接続する空気調和機において、
リモコン又は応急運転スイッチで運転を停止し、
ドレンポンプとフロートスイッチを、通電されていない回路にドレンポンプを接続し、低電圧の回路にフロートスイッチを接続し、
マイクロコンピュータがドレンポンプとフロートスイッチを認識し、
認識後、リモコン又は応急運転スイッチで運転を空気調和機に指示し、
ドレンポンプの動作を確認し、
ドレンポンプが正常に動作する場合は、ドレンポンプとフロートスイッチが正常に取り付けられたことを確認し、
ドレンポンプが正常に動作しない場合は、接続が出来ていないと判断することが出来るため、リモコン又は応急運転スイッチで運転を停止し、ドレンポンプとフロートスイッチの接続状態をチェックし、再度リモコン又は応急運転スイッチで運転を空気調和機に指示することを特徴とする。
【００１０】
この発明に係る空気調和機は、フロートスイッチからの検出信号を受信するフロートスイッチ入力回路と、フロートスイッチ入力回路から送信された検出信号を認識した場合、マイクロコンピュータに検出信号を送信するドレンポンプ出力／フロートスイッチ入力検出切り替え解析手段と、ドレンポンプ出力／フロートスイッチ入力検出切り替え解析手段から検出信号が送信されると、ドレンポンプとフロートスイッチが接続されたことを認識し、ドレンポンプとフロートスイッチの制御を行うマイクロコンピュータと、を有する制御基板を備えたことを特徴とする。
【００１１】
この発明に係る空気調和機は、マイクロコンピュータがワイヤレスリモコンや応急／試運転スイッチより運転の指示を受けると、マイクロコンピュータがドレンポンプ出力手段にドレンポンプ運転オン信号を送信し、ドレンポンプ出力手段がドレンポンプ運転オン信号を受信して認識すれば、ドレンポンプ出力手段からドレンポンプ出力回路にドレンポンプ運転オン信号を送信して、ドレンポンプ出力回路がドレンポンプに動作指示を行うことを特徴とする。
【００１２】
この発明に係る空気調和機は、フロートスイッチが異常水位又は接続外れの場合、異常信号がフロートスイッチ入力回路に入力され、フロートスイッチ入力回路からフロートスイッチ入力解析手段に異常信号が送信され、フロートスイッチ入力解析手段が異常信号をマイクロコンピュータに送信すると、マイクロコンピュータは空気調和機の運転を停止することを特徴とする。
【００１３】
この発明に係る空気調和機は、フロートスイッチが異常水位又は接続外れで、マイクロコンピュータが空気調和機の運転を停止中、常にドレンポンプを動作させ、室内機の運転モニタに異常表示信号を送信することを特徴とする。
【００１４】
この発明に係る空気調和機は、制御基板にドレンポンプ出力回路／フロートスイッチ入力回路を設け、ドレンポンプと前記フロートスイッチの接続コネクタを共通化したことを特徴とする。
【００１５】
【発明の実施の形態】
以下、この発明の実施の形態を図面に基づいて説明する。
実施の形態１．
図１、２は実施の形態１を示す図で、図１は空気調和機と別売設定のドレンポンプとフロートスイッチを接続するためのブロック図で制御基板の構成を示す図、図２は空気調和機と別売設定のドレンポンプとフロートスイッチを接続するためのフローチャート図である。
図１において、空気調和機の室内機１の制御基板に別売部品のドレンポンプ９とフロートスイッチ１０を接続する際に、ＡＣ電源をオフしてドレンポンプ９とフロートスイッチ１０を接続する。その後、ＡＣ電源をオンすると、フロートスイッチ１０からフロートスイッチ入力回路６に検出信号＝０を送信する。フロートスイッチ入力回路６が検出信号＝０を受信してドレンポンプ出力／フロートスイッチ入力検出切り替え解析手段７に検出信号＝０を送信する。ドレンポンプ出力／フロートスイッチ入力検出切り替え解析手段７が検出信号＝０を認識した場合、ドレンポンプ出力／フロートスイッチ入力検出切り替え解析手段７がマイクロコンピュータ２に検出信号＝０を送信し、マイクロコンピュータ２がドレンポンプ９とフロートスイッチ１０が接続されたことを認識する。
【００１６】
続いてマイクロコンピュータ２が別売部品のドレンポンプ９とフロートスイッチ１０が接続された制御を行う。別売部品のドレンポンプ２０８とフロートスイッチ２０９が接続された制御は、マイクロコンピュータ２がワイヤレスリモコンや応急／試運転スイッチより冷房運転又はドライ運転の指示を受けると、マイクロコンピュータ２がドレンポンプ出力手段３にドレンポンプ運転オン信号を送信する。ドレンポンプ出力手段３がドレンポンプ運転オン信号を受信して認識すれば、ドレンポンプ出力手段３からドレンポンプ出力回路４にドレンポンプ運転オン信号を送信して、ドレンポンプ出力回路４がドレンポンプ９に動作指示を行い、ドレンポンプ９が運転を行う。
【００１７】
また、フロートスイッチ１０が異常水位又は接続外れの場合、異常＝１がフロートスイッチ入力回路６に入力され、フロートスイッチ入力回路６からフロートスイッチ入力解析手段５に異常＝１が送信される。その後、フロートスイッチ入力解析手段５が異常＝１を判断してマイクロコンピュータ２に異常＝１を送信すると、マイクロコンピュータ２が空調運転を停止する。この場合は、常にドレンポンプ９を動作させ、空気調和機の室内機１の運転モニタに異常表示信号を送信する。フロートスイッチ１０が正常水位又は正常接続されると正常運転条件を満たせば、空調運転を開始する。
【００１８】
次に図２のフローチャートで説明する。ステップ２０１で別売設定のドレンポンプ９とフロートスイッチ１０を空気調和機に接続する。ステップ２０２で空気調和機にＡＣ電源投入すると、ステップ２０３で空気調和機のマイクロコンピュータ２が別売設定のドレンポンプ９とフロートスイッチ１０を認識する。認識後、ステップ２０４でリモコンにて冷房運転又はドライ運転又は応急運転スイッチで応急冷房運転を空気調和機に指示した後、ステップ２０５でドレンポンプ９は動作するかを確認する。
【００１９】
ＹＥＳの場合は、ステップ２０６で別売設定のドレンポンプ９とフロートスイッチ１０は正常に動作が確認でき、別売設定のドレンポンプ９とフロートスイッチ１０が正常に取り付けられたことになる。
【００２０】
一方、ステップ２０５でドレンポンプ９は動作するかの判定でＮＯになった場合、接続が出来ていないと判断することが出来るため、ステップ２０７でＡＣ電源オフを行い、ステップ２０８でドレンポンプ９とフロートスイッチコネクタの接続状態をチェックし、ステップ２０２に戻り、再度ＡＣ電源投入を行う。その後は、上記内容を繰り返すことにより、別売設定のドレンポンプ９とフロートスイッチ１０の空気調和機への接続を完了する。
【００２１】
以上のように、ドレンポンプ９とフロートスイッチ１０を接続、ＡＣ電源を投入しただけで、空気調和機のマイクロコンピュータ２がドレンポンプ９とフロートスイッチ１０の接続を検出して、ドレンポンプ９とフロートスイッチ１０を確実に動作させる。
【００２２】
実施の形態２．
図１、３は実施の形態２を示す図で、図１は空気調和機と別売設定のドレンポンプとフロートスイッチを接続するためのブロック図、図３は空気調和機と別売設定のドレンポンプとフロートスイッチを接続するためのフローチャート図である。
図１において、空気調和機の室内機１に別売部品のドレンポンプ９とフロートスイッチ１０を接続する際に、リモコン又は応急運転スイッチにて運転停止を行い、ドレンポンプ９とフロートスイッチ１０を接続する。
【００２３】
リモコン又は応急運転スイッチにて運転停止を行うと、制御基板のドレンポンプ９が接続される回路は通電がされていない状態となり、接続作業を行うことができる。
また、制御基板のフロートスイッチ１０が接続される回路はしても通電状態にあるが、ＤＣ５Ｖ程度の低電圧であるので、接続作業に支障はない。
【００２４】
接続したフロートスイッチ１０からフロートスイッチ入力回路６に検出信号＝０を送信する。フロートスイッチ入力回路６が検出信号＝０を受信して、ドレンポンプ出力／フロートスイッチ入力検出切り替え解析手段７に検出信号＝０を送信する。ドレンポンプ出力／フロートスイッチ入力検出切り替え解析手段７が検出信号＝０を認識した場合、ドレンポンプ出力／フロートスイッチ入力検出切り替え解析手段７がマイクロコンピュータ２に検出信号＝０を送信し、マイクロコンピュータ２がドレンポンプ９とフロートスイッチ１０が接続されたことを認識する。
【００２５】
続いてマイクロコンピュータ２が別売部品のドレンポンプ９とフロートスイッチ１０が接続された制御を行う。別売部品のドレンポンプ９とフロートスイッチ１０が接続された制御は、マイクロコンピュータ２がワイヤレスリモコンや応急／試運転スイッチより冷房運転又はドライ運転の指示を受けると、マイクロコンピュータ２がドレンポンプ出力手段３にドレンポンプ運転オン信号を送信する。ドレンポンプ出力手段３がドレンポンプ運転オン信号を受信して認識すれば、ドレンポンプ出力手段３からドレンポンプ出力回路４にドレンポンプ運転オン信号を送信して、ドレンポンプ出力回路４がドレンポンプ８に動作指示を行い、ドレンポンプ８が運転を行う。
【００２６】
また、フロートスイッチ１０が異常水位又は接続外れの場合、異常＝１がフロートスイッチ入力回路６に入力され、フロートスイッチ入力回路６からフロートスイッチ入力解析手段５に異常＝１が送信される。その後、フロートスイッチ入力解析手段５が異常＝１を判断してマイクロコンピュータ２に異常＝１を送信すると、マイクロコンピュータ２が空調運転を停止する。この場合は、常にドレンポンプ９を動作させ、空気調和機の室内機１の運転モニタに異常表示信号を送信する。フロートスイッチ１０が正常水位又は正常接続されると正常運転条件を満たせば、空調運転を開始する。
【００２７】
次に図３のフローチャートで説明する。ステップ３０１で空気調和機をリモコン又は応急運転スイッチにて運転停止を行い、ステップ３０２で別売設定のドレンポンプ９とフロートスイッチ１０を空気調和機に接続すると、ステップ３０３で空気調和機のマイクロコンピュータ２が別売設定のドレンポンプ９とフロートスイッチ１０を認識する。認識後、ステップ３０４でリモコンにて冷房運転又はドライ運転又は応急運転スイッチで応急冷房運転を空気調和機に指示した後、ステップ３０５でドレンポンプ９は動作するかを確認する。
【００２８】
ＹＥＳの場合は、ステップ３０６で別売設定のドレンポンプ９とフロートスイッチ１０は正常に動作が確認でき、別売設定のドレンポンプ９とフロートスイッチ１０が正常に取り付けられたことになる。
【００２９】
一方、ステップ３０５でのドレンポンプ９は動作するかの判定がＮＯになった場合、接続が出来ていないと判断することが出来るため、ステップ３０７でリモコン又は応急運転スイッチにて運転停止を行い、ステップ３０８でドレンポンプ９とフロートスイッチコネクタの接続状態をチェックし、ステップ３０４に戻り、再度、リモコンにて冷房運転又はドライ運転又は応急運転スイッチで応急冷房運転を空気調和機に指示する。その後は、上記内容を繰り返すことにより、別売設定のドレンポンプ９とフロートスイッチ１０の空気調和機への接続を完了する。
【００３０】
以上のように、ＡＣ電源を投入したままでリモコン又は応急運転スイッチにて空気調和機を運転停止して、別売設定のドレンポンプ９とフロートスイッチ１０を空気調和機に接続し、空気調和機のマイクロコンピュータ２がドレンポンプ９とフロートスイッチ１０の接続を検出すれば、ドレンポンプ９とフロートスイッチ１０を確実に動作させることができる。また、ＡＣ電源をオフせずに接続作業ができるので、より簡単に別売設定のドレンポンプ９とフロートスイッチ１０の接続ができる。
【００３１】
実施の形態３．
図４は実施の形態３を示す図で、空気調和機と別売設定のドレンポンプとフロートスイッチを接続するためのブロック図である。図において、空気調和機の室内機１に別売部品のドレンポンプ９とフロートスイッチ１０を接続する際に、ＡＣ電源をオフしてドレンポンプ９とフロートスイッチ１０を接続する。その後、ＡＣ電源をオンすると、フロートスイッチ１０からドレンポンプ出力回路／フロートスイッチ入力回路１１に検出信号＝０を送信する。
【００３２】
ドレンポンプ出力回路／フロートスイッチ入力回路１１が検出信号＝０を受信してドレンポンプ出力／フロートスイッチ入力検出切り替え解析手段７に検出信号＝０を送信する。ドレンポンプ出力／フロートスイッチ入力検出切り替え解析手段７が検出信号＝０を認識した場合、ドレンポンプ出力／フロートスイッチ入力検出切り替え解析手段７がマイクロコンピュータ２に検出信号＝０を送信し、マイクロコンピュータ２がドレンポンプ９とフロートスイッチ１０が接続されたことを認識する。
【００３３】
続いてマイクロコンピュータ２が別売部品のドレンポンプ９とフロートスイッチ１０が接続された制御を行う。別売部品のドレンポンプ９とフロートスイッチ１０が接続された制御は、マイクロコンピュータ２がワイヤレスリモコンや応急／試運転スイッチより冷房運転又はドライ運転の指示を受けると、マイクロコンピュータ２がドレンポンプ出力手段３にドレンポンプ運転オン信号を送信する。ドレンポンプ出力手段３がドレンポンプ運転オン信号を受信して認識すれば、ドレンポンプ出力手段３からドレンポンプ出力回路／フロートスイッチ入力回路１１にドレンポンプ運転オン信号を送信して、ドレンポンプ出力回路／フロートスイッチ入力回路１１がドレンポンプ９に動作指示を行い、ドレンポンプ９が運転を行う。
【００３４】
また、フロートスイッチ１０が異常水位又は接続外れの場合、異常＝１がドレンポンプ出力回路／フロートスイッチ入力回路１１に入力され、ドレンポンプ出力回路／フロートスイッチ入力回路１１からフロートスイッチ入力解析手段５に異常＝１が送信される。その後、フロートスイッチ入力解析手段５が異常＝１を判断してマイクロコンピュータ２に異常＝１を送信すると、マイクロコンピュータ２が空調運転を停止する。この場合は、常にドレンポンプ９を動作させ、空気調和機の室内機１の運転モニタに異常表示信号を送信する。フロートスイッチ１０が正常水位又は正常接続されると正常運転条件を満たせば、空調運転を開始する。
【００３５】
以上のように、ドレンポンプ９とフロートスイッチ１０を接続、ＡＣ電源を投入しただけで、空気調和機のマイクロコンピュータ２がドレンポンプ９とフロートスイッチ１０の接続を検出して、ドレンポンプ９とフロートスイッチ１０を確実に動作させる。
【００３６】
また、別売設定のドレンポンプ９とフロートスイッチ１０の接続コネクタが共通化でき、更には制御基板もドレンポンプ出力回路とフロートスイッチ入力回路が共通化されるため、安価な別売設定が出来るのと同時にコネクタ接続も一つになるため、より確実な別売接続が出来る。
【００３７】
実施の形態４．
図４は実施の形態４を示す図で、空気調和機と別売設定のドレンポンプとフロートスイッチを接続するためのブロック図である。図において、空気調和機の室内機１に別売部品のドレンポンプ９とフロートスイッチ１０を接続する際に、ＡＣ電源を投入したままリモコン又は応急運転スイッチにて空気調和機の運転停止を行い、ドレンポンプ９とフロートスイッチ１０を接続する。接続したフロートスイッチ１０からドレンポンプ出力回路／フロートスイッチ入力回路１１に検出信号＝０を送信する。
【００３８】
ドレンポンプ出力回路／フロートスイッチ入力回路１１が検出信号＝０を受信して、ドレンポンプ出力／フロートスイッチ入力検出切り替え解析手段７に検出信号＝０を送信する。ドレンポンプ出力／フロートスイッチ入力検出切り替え解析手段７が検出信号＝０を認識した場合、ドレンポンプ出力／フロートスイッチ入力検出切り替え解析手段７がマイクロコンピュータ２に検出信号＝０を送信し、マイクロコンピュータ２がドレンポンプ９とフロートスイッチ１０が接続されたことを認識する。
【００３９】
続いてマイクロコンピュータ２が別売部品のドレンポンプ９とフロートスイッチ１０が接続された制御を行う。別売部品のドレンポンプ９とフロートスイッチ１０が接続された制御は、マイクロコンピュータ２がワイヤレスリモコンや応急／試運転スイッチより冷房運転又はドライ運転の指示を受けると、マイクロコンピュータ２がドレンポンプ出力手段３にドレンポンプ運転オン信号を送信する。ドレンポンプ出力手段３がドレンポンプ運転オン信号を受信して認識すれば、ドレンポンプ出力手段３からドレンポンプ出力回路／フロートスイッチ入力回路１１にドレンポンプ運転オン信号を送信して、ドレンポンプ出力回路／フロートスイッチ入力回路１１がドレンポンプ９に動作指示を行い、ドレンポンプ９が運転を行う。
【００４０】
また、フロートスイッチ１０が異常水位又は接続外れの場合、異常＝１がドレンポンプ出力回路／フロートスイッチ入力回路１１に入力され、ドレンポンプ出力回路／フロートスイッチ入力回路１１からフロートスイッチ入力解析手段５に異常＝１が送信される。その後、フロートスイッチ入力解析手段５が異常＝１を判断してマイクロコンピュータ２に異常＝１を送信すると、マイクロコンピュータ２が空調運転を停止する。この場合は、常にドレンポンプ９を動作させ、空気調和機の室内機１の運転モニタに異常表示信号を送信する。フロートスイッチ１０が正常水位又は正常接続されると正常運転条件を満たせば、空調運転を開始する。
【００４１】
以上のように、ＡＣ電源を投入したままでリモコン又は応急運転スイッチにて空気調和機を運転停止して、別売設定のドレンポンプ９とフロートスイッチ１０を空気調和機に接続し、空気調和機のマイクロコンピュータ２がドレンポンプ９とフロートスイッチ１０の接続を検出すれば、ドレンポンプ９とフロートスイッチ１０を確実に動作させることができる。
【００４２】
また、別売設定のドレンポンプ９とフロートスイッチ１０の接続コネクタが共通化でき、更には制御基板もドレンポンプ出力回路とフロートスイッチ入力回路が共通化になるため、安価な別売設定が出来るのと同時にコネクタ接続も一つになるため、より確実な別売接続が出来る。
また、ＡＣ電源をオフせずに接続作業ができるので、より簡単にの接続ができる。
【００４３】
上述の実施の形態では、別売設定のドレンポンプ９とフロートスイッチ１０の接続方法について説明したが、要は、ドレンポンプ９とフロートスイッチ１０を空気調和機に後付けする場合に、本発明は効果を奏する。
【００４４】
【発明の効果】
この発明に係る空気調和機は、ドレンポンプとフロートスイッチを室内機に接続し、ＡＣ電源を投入するだけで、マイクロコンピュータがドレンポンプとフロートスイッチを認識して制御するので、ドレンポンプとフロートスイッチは確実に動作することができ、設定ミス等が無くなるため、より確実なドレンポンプとフロートスイッチの接続を行うことが出来る。
【００４５】
この発明に係る空気調和機は、ＡＣ電源をオフせずに作業が出来るため、より一段と簡単にドレンポンプとフロートスイッチの接続を行うことが出来る。
【００４６】
この発明に係る空気調和機は、フロートスイッチからの検出信号を受信するフロートスイッチ入力回路と、フロートスイッチ入力回路から送信された検出信号を認識した場合、マイクロコンピュータに検出信号を送信するドレンポンプ出力／フロートスイッチ入力検出切り替え解析手段と、ドレンポンプ出力／フロートスイッチ入力検出切り替え解析手段から検出信号が送信されると、ドレンポンプとフロートスイッチが接続されたことを認識し、ドレンポンプとフロートスイッチの制御を行うマイクロコンピュータと、を有する制御基板を備えたことにより、設定ミス等が無くなり、より確実なドレンポンプとフロートスイッチの接続を行うことが出来る。
【００４７】
この発明に係る空気調和機は、マイクロコンピュータがワイヤレスリモコンや応急／試運転スイッチより運転の指示を受けると、マイクロコンピュータがドレンポンプ出力手段にドレンポンプ運転オン信号を送信し、ドレンポンプ出力手段がドレンポンプ運転オン信号を受信して認識すれば、ドレンポンプ出力手段からドレンポンプ出力回路にドレンポンプ運転オン信号を送信して、ドレンポンプ出力回路がドレンポンプに動作指示を行うことにより、空調運転中はドレンポンプを自動的に動作させることができる。
【００４８】
この発明に係る空気調和機は、フロートスイッチが異常水位又は接続外れの場合、異常信号がフロートスイッチ入力回路に入力され、フロートスイッチ入力回路からフロートスイッチ入力解析手段に異常信号が送信され、フロートスイッチ入力解析手段が異常信号をマイクロコンピュータに送信すると、マイクロコンピュータは空気調和機の運転を停止することにより、信頼性を確保することができる。
【００４９】
この発明に係る空気調和機は、フロートスイッチが異常水位又は接続外れで、マイクロコンピュータが空気調和機の運転を停止中、常にドレンポンプを動作させ、室内機の運転モニタに異常表示信号を送信することにより、ドレンの溢れを抑制し、ユーザーに異常を知らせることができる。
【００５０】
この発明に係る空気調和機は、制御基板にドレンポンプ出力回路／フロートスイッチ入力回路を設け、ドレンポンプとフロートスイッチの接続コネクタを共通化したことにより、安価に出来るのと同時にコネクタ接続も一つになるため、より確実な接続が出来る。
【図面の簡単な説明】
【図１】  実施の形態１，２を示す図で、空気調和機と別売設定のドレンポンプとフロートスイッチを接続するためのブロック図である。
【図２】  実施の形態１を示す図で、空気調和機と別売設定のドレンポンプとフロートスイッチを接続するためのフローチャート図である。
【図３】  実施の形態２を示す図で、空気調和機と別売設定のドレンポンプとフロートスイッチを接続するためのフローチャート図である。
【図４】  実施の形態３，４を示す図で、空気調和機と別売設定のドレンポンプとフロートスイッチを接続するためのブロック図である。
【図５】  従来の技術を示す図で、空気調和機と別売設定のドレンポンプとフロートスイッチを接続するためのブロック図である。
【符号の説明】
１  室内機、２  マイクロコンピュータ、３  ドレンポンプ出力手段、４  ドレンポンプ出力回路、５  フロートスイッチ入力解析手段、６  フロートスイッチ入力回路、７  ドレンポンプ出力／フロートスイッチ入力検出切り替え解析手段、９  ドレンポンプ、１０  フロートスイッチ、１１  ドレンポンプ出力回路／フロートスイッチ入力回路。
【図１】
0004015452.tif 000002
【図２】
0004015452.tif 000003
【図３】
0004015452.tif 000004
【図４】
0004015452.tif 000005
【図５】
0004015452.tif 000006